(57)【要約】【課題】積み下ろし作業時に損傷することを抑制することができる保冷容器を提供する。【解決手段】発泡性合成樹脂で形成された容器本体３と蓋体４とからなり、容器本体３は、略矩形状の底壁と底壁の４辺から高さ方向に立ち上げられた４つの本体用側壁とを備え、該対向する一対の本体用側壁のうちの一方の本体用側壁８の外側に、内側に凹んだ一対の凹部１０，１１を左右方向に間隔を置いて備え、一対の凹部１０，１１は、左右方向から指を引っ掛けて一方の本体用側壁８を掴むための掴み用引っ掛かり部１０ｃ，１１Ｂを備えている。【選択図】  図３
2015151182.tif 000002
【特許請求の範囲】
【請求項１】
発泡性合成樹脂で形成された容器本体と蓋体とからなり、前記容器本体は、略矩形状の底壁と該底壁の４辺から高さ方向に立ち上げられた４つの本体用側壁とを備えた保冷容器であって、
前記対向する一対の本体用側壁のうちの一方の本体用側壁の外側に、内側に凹んだ一対の凹部を左右方向に間隔を置いて備え、前記一対の凹部は、左右方向から指を引っ掛けて前記一方の本体用側壁を掴むための掴み用引っ掛かり部を備えていることを特徴とする保冷容器。
【請求項２】
前記残る他方の本体用側壁の外側に、内側に凹んだ一対の第２凹部を左右方向に間隔を置いて備え、前記一対の第２凹部は、左右方向から指を引っ掛けて前記他方の本体用側壁を掴むための第２掴み用引っ掛かり部を備えていることを特徴とする請求項１に記載の保冷容器。
【請求項３】
前記一対の凹部のうちの一方の凹部に、指を下方から引っ掛けて前記容器本体を持ち上げるための持ち上げ用引っ掛かり部を備え、前記一対の第２凹部のうちの一方の第２凹部に、指を下方から引っ掛けて前記容器本体を持ち上げるための第２持ち上げ用引っ掛かり部を備えていることを特徴とする請求項２に記載の保冷容器。
【請求項４】
前記一対の凹部のうちの一方の凹部の上端を、他方の凹部の上端よりも高い位置で、かつ、前記一方の本体用側壁の上部に位置するように設定し、該一方の凹部の上端が、前記持ち上げ用引っ掛かり部を構成し、前記一対の第２凹部のうちの一方の第２凹部の上端を、他方の第２凹部の上端よりも高い位置で、かつ、前記他方の本体用側壁の上部に位置するように設定し、該一方の第２凹部の上端が、前記第２持ち上げ用引っ掛かり部を構成していることを特徴とする請求項３に記載の保冷容器。
【請求項５】
前記一対の凹部の下端を、前記一方の本体用側壁の下部まで延長し、この延長した延長部をもって前記一方の本体用側壁の下部において左右方向から指を引っ掛ける前記掴み用引っ掛かり部を構成し、前記一対の第２凹部の下端を、前記他方の本体用側壁の下部まで延長し、この延長した延長部をもって前記他方の本体用側壁の下部において左右方向から指を引っ掛ける前記第２掴み用引っ掛かり部を構成していることを特徴とする請求項４に記載の保冷容器。
【請求項６】
前記他方の凹部の左右幅は、前記一方の凹部の左右幅よりも狭い寸法に設定され、前記他方の第２凹部の左右幅は、前記一方の第２凹部の左右幅よりも狭い寸法に設定されていることを特徴とする請求項４又は５に記載の保冷容器。
【請求項７】
前記一対の掴み用引っ掛かり部及び前記一対の第２掴み用引っ掛かり部のそれぞれが、外側から内側に向うほど外広がり形状となる傾斜面を備えていることを特徴とする請求項２〜６のいずれか１項に記載の保冷容器。
【発明の詳細な説明】
【技術分野】
【０００１】
本発明は、農産物や水産物等の商品を収容して目的地まで輸送するための保冷容器に関する。
【背景技術】
【０００２】
従来から、冷却・保温ユニットを備えたコンテナ（船用ではリーファーコンテナとも言う）内に多数の保冷容器を上下方向に積み重ねて、船、飛行機、トラック等で目的地へ輸送している。
【０００３】
かかる保冷容器は、発泡性合成樹脂で形成された容器本体と蓋体とからなり、容器本体は、長方形状の底壁と底壁の４辺から高さ方向に立ち上げられた４つの本体用側壁とを備え、４つの本体用側壁のうちの長手方向で対向する前後の本体用側壁の外側の左右方向中央部に、指を下方から引っ掛けて容器を持ち上げるための引っ掛かり部を備えている。この引っ掛かり部は、下方が開放された切欠き部から構成されている。この切欠き部は、外面から内側に離間したフラット面と、このフラット面の左右両端から外側に延びる左右の側面と、左右の側面の上端同士を連結するとともに指を下方から引っ掛けるための上面とを備えている。（例えば、特許文献１参照）。
【０００４】
このように構成された保冷容器の前後の切欠き部の上面に手の指をそれぞれ掛けることによって、保冷容器の前後の上端部を手で掴んでから保冷容器を持ち上げ、コンテナ内に保冷容器を積み込むようにしている。そして、輸送料金をできるだけ安くするために、コンテナ内に上下方向及び左右方向に大きなデッドスペースができないように多くの保冷容器を積み重ねている。
【先行技術文献】
【特許文献】
【０００５】
【特許文献１】特開２００７−６２７６４号公報
【発明の概要】
【発明が解決しようとする課題】
【０００６】
ところで、コンテナの扉の開口寸法が、幅２．３ｍ×高さ２．２ｍ位のサイズを有している。このような高さのコンテナに保冷容器が積み上げられると、特に最上段の保冷容器が手の届き難い高さに位置しているだけでなく、隣り合う保冷容器同士が隙間の無い状態で積み上げられている。そのため、隣り合う保冷容器同士間に手を入れることができない。また、高い位置にある最上段の保冷容器の切欠き部の上面に指を引っ掛けることができたとしても、保冷容器を上方へ浮かすことはできるものの、最上段の保冷容器を手前側へ引き出すことができない。そこで、保冷容器を変形させながら隣り合う保冷容器同士間に無理矢理手を入れて引き出すことが考えられるが、保冷容器が変形して保冷容器にヒビや割れなどの損傷が発生してしまうことがある。保冷容器が損傷してしまうと、保冷性能が低下して、商品が傷んでしまうというトラブルが発生することがあるため、改善の余地があった。
【０００７】
そこで、本発明は、かかる事情に鑑みてなされたもので、積み下ろし作業時に損傷することを抑制することができる保冷容器を提供することを課題とする。
【課題を解決するための手段】
【０００８】
本発明に係る保冷容器は、発泡性合成樹脂で形成された容器本体と蓋体とからなり、前記容器本体は、略矩形状の底壁と該底壁の４辺から高さ方向に立ち上げられた４つの本体用側壁とを備えた保冷容器であって、前記対向する一対の本体用側壁のうちの一方の本体用側壁の外側に、内側に凹んだ一対の凹部を左右方向に間隔を置いて備え、前記一対の凹部は、左右方向から指を引っ掛けて前記一方の本体用側壁を掴むための掴み用引っ掛かり部を備えていることを特徴とする。
【０００９】
本発明によれば、一対の凹部の掴み用引っ掛かり部に指を引っ掛けて一方の本体用側壁を掴むことができる。その掴んだ状態で保冷容器を手前側へ容易に引き出して積み重ねられている最上段の保冷容器から順に積み下ろすことができる。
【００１０】
また、本発明に係る保冷容器においては、前記残る他方の本体用側壁の外側に、内側に凹んだ一対の第２凹部を左右方向に間隔を置いて備え、前記一対の第２凹部は、左右方向から指を引っ掛けて前記他方の本体用側壁を掴むための第２掴み用引っ掛かり部を備えていることが好ましい。
【００１１】
上記のように、残る他方の本体用側壁の外側にも、一対の第２凹部を備えておけば、保冷容器を積み重ねる際に、一対の第１凹部を備える一方の本体用側壁と一対の第２凹部を備える他方の本体用側壁のいずれかが手前に位置するように積み重ねていけばよく、保冷容器の積み重ね作業がやり易い。
【００１２】
また、本発明に係る保冷容器においては、前記一対の凹部のうちの一方の凹部に、指を下方から引っ掛けて前記容器本体を持ち上げるための持ち上げ用引っ掛かり部を備え、前記一対の第２凹部のうちの一方の第２凹部に、指を下方から引っ掛けて前記容器本体を持ち上げるための第２持ち上げ用引っ掛かり部を備えていることが好ましい。
【００１３】
上記のように、持ち上げ用引っ掛かり部及び第２持ち上げ用引っ掛かり部を備えておけば、持ち上げ用引っ掛かり部及び第２持ち上げ用引っ掛かり部に指を引っ掛けて保冷容器を容易に持ち上げることができる。
【００１４】
また、本発明に係る保冷容器においては、前記一対の凹部のうちの一方の凹部の上端を、他方の凹部の上端よりも高い位置で、かつ、前記一方の本体用側壁の上部に位置するように設定し、該一方の凹部の上端が、前記持ち上げ用引っ掛かり部を構成し、前記一対の第２凹部のうちの一方の第２凹部の上端を、他方の第２凹部の上端よりも高い位置で、かつ、前記他方の本体用側壁の上部に位置するように設定し、該一方の第２凹部の上端が、前記第２持ち上げ用引っ掛かり部を構成してもよい。
【００１５】
上記のように、一方の本体用側壁の上部に、持ち上げ用引っ掛かり部が位置し、かつ、他方の本体用側壁の上部に、第２持ち上げ用引っ掛かり部が位置していれば、例えば地面又は床面にある保冷容器を持ち上げる際に、腰を大きく屈めることなく、持ち上げ用引っ掛かり部及び第２持ち上げ用引っ掛かり部に指を容易に引っ掛けることができる。他方の凹部及び第２凹部の上端が、一方の凹部及び第２凹部の上端よりも低い位置にあるため、保冷容器の保形強度が低下することを抑制することができる。
【００１６】
また、本発明に係る保冷容器においては、前記一対の凹部の下端を、前記一方の本体用側壁の下部まで延長し、この延長した延長部をもって前記一方の本体用側壁の下部において左右方向から指を引っ掛ける前記掴み用引っ掛かり部を構成し、前記一対の第２凹部の下端を、前記他方の本体用側壁の下部まで延長し、この延長した延長部をもって前記他方の本体用側壁の下部において左右方向から指を引っ掛ける前記第２掴み用引っ掛かり部を構成してもよい。
【００１７】
上記のように、一方の本体用側壁の下部に掴み用引っ掛かり部を備えるとともに、他方の本体用側壁の下部に第２掴み用引っ掛かり部を備えておけば、高い位置にある保冷容器でも、掴み用引っ掛かり部又は第２掴み用引っ掛かり部に容易に指を引っ掛けることができる。
【００１８】
また、本発明に係る保冷容器においては、前記他方の凹部の左右幅は、前記一方の凹部の左右幅よりも狭い寸法に設定され、前記他方の第２凹部の左右幅は、前記一方の第２凹部の左右幅よりも狭い寸法に設定されていることが好ましい。
【００１９】
上記のように、他方の凹部の左右幅を、一方の凹部の左右幅よりも狭い寸法に設定するとともに、他方の第２凹部の左右幅を、一方の第２凹部の左右幅よりも狭い寸法に設定しておけば、容器本体の保形強度が低下することをより一層抑制することができる。
【００２０】
また、本発明に係る保冷容器においては、前記一対の掴み用引っ掛かり部及び前記一対の第２掴み用引っ掛かり部のそれぞれが、外側から内側に向うほど外広がり形状となる傾斜面を備えていることが好ましい。
【００２１】
上記のように、一対の掴み用引っ掛かり部及び一対の第２掴み用引っ掛かり部のそれぞれが、外側から内側に向うほど外広がり形状となる傾斜面から構成しておけば、一対の掴み用引っ掛かり部及び一対の第２掴み用引っ掛かり部への指の入り込みを深くすることができ、本体用側壁を確実に掴むことができる。
【発明の効果】
【００２２】
以上の如く、本発明によれば、一方の本体用側壁の外側に備えた一対の凹部の掴み用引っ掛かり部に指を引っ掛けて本体用側壁を掴むことができる。従って、保冷容器が高く積み上げられている場合でも、本体用側壁の一対の掴み用引っ掛かり部に指を引っ掛けて容易に積み下ろすことができ、保冷容器の積み下ろし作業時に損傷することを抑制することができる保冷容器を提供することができる。
【図面の簡単な説明】
【００２３】
【図１】本発明の実施形態に係る保冷容器をコンテナ内に積み上げた状態を示す正面図である。
【図２】同実施形態に係る保冷容器の斜視図である。
【図３】同実施形態に係る保冷容器の正面図である。
【図４】同実施形態に係る保冷容器の底面図である。
【図５】図４のＡ部分の拡大図である。
【図６】同実施形態に係る保冷容器の容器本体の内部構造を示す斜視図である。
【図７】他の実施形態に係る保冷容器の正面図である。
【図８】他の実施形態に係る保冷容器の正面図である。
【図９】他の実施形態に係る保冷容器の正面図である。
【図１０】他の実施形態に係る保冷容器の正面図である。
【発明を実施するための形態】
【００２４】
以下、本発明に係る保冷容器の実施形態について、図１〜図６に基づいて説明する。
【００２５】
図１に、コンテナ１内に多数の保冷容器２を積み上げた状態を示している。コンテナ１は、２０Ｆｔ（フィート）や４０Ｆｔ（フィート）の大きさのものが主流であり、いずれの扉開口寸法も同じであり、その寸法は、幅約２．３ｍ×高さ約２．２ｍである。そして、保冷容器２を積み込んだ状態では、左右方向で隣り合う保冷容器２，２同士の間は勿論のこと、最上段に位置する保冷容器２とコンテナ１の天井壁１Ａとの間の他、左右端に位置する保冷容器２とコンテナ１の左右壁１Ｂ，１Ｃとの間に、大きなデッドスペースが無い状態になっている。コンテナ１としては、冷却・保温ユニットを備えた海上輸送に用いられるリーファーコンテナでもよいし、空輸用や陸送用のコンテナであってもよい。また、倉庫や工場等で保管するために多数の保冷容器２を積み上げてもよい。
【００２６】
保冷容器２は、図１〜図３及び図６に示すように、農産物や水産物等の商品を上端の上面開口部３Ａから収容することができる箱型状の発泡合成樹脂でなる容器本体３と、この容器本体３の上面開口部３Ａを閉じて密閉状態にするための発泡合成樹脂でなる蓋体４とから構成されている。尚、発泡合成樹脂としては、特に限定されないが、例えば発泡ポリスチレン、発泡ポリエチレン、発泡ポリプロピレン等の各種発泡合成樹脂が利用できる。発泡倍率としては、２０倍〜９０倍の範囲の任意の値に設定することができる。そのときの発泡粒径としては、０．９１５ｍｍ〜５．２９１ｍｍの範囲の任意の値に設定することができる。また、発泡倍率が３０倍から７０倍までの間の任意の値で、かつ、発泡粒径が１．３１ｍｍ〜２．４３３ｍｍまでの間の任意の値を設定した場合が、更に好ましい。また、収容される商品としては、例えば魚を複数枚に切り下したフィレ状の魚肉を包装して冷凍状態にしたものを入れている。
【００２７】
容器本体３は、図２〜図４、及び図６に示すように、平面視略長方形状に形成され、商品を載置する載置面５Ａを備えた底壁５と、底壁５の４辺から高さ方向に立ち上げられた４つの本体用側壁とを備えている。
【００２８】
本体用側壁は、底壁５の４辺のうちの一対の長辺である左右の縁部に上方に向けて立設された左右の側壁７，７と、底壁５の一対の短辺である前後の縁部から上方に向けて立設された前後の側壁８，８とを備えている。そして、これら４つの側壁７，８の上部に商品を出し入れするための前記上面開口部３Ａが形成されている。左右の側壁７，７及び前後の側壁８，８は、上端から下端側ほど内側となる傾斜面に形成されており、金型との離型性を良好にしている。尚、前記傾斜面の傾斜角度を１°に設定しているため、図面上では把握でき難い状態になっている。
【００２９】
図６に示すように、左右の側壁７，７及び前後の側壁８，８の上端面、即ち、容器本体３の上端面には、上向きに突出する嵌合用凸条９が設けられている。この嵌合用凸条９の左右の側壁７，７の中央部分７Ａ，７Ａが切りかかれており、嵌合用凸条９が周方向の２箇所で形成されている。そして、この嵌合用凸条９に嵌合する凹部（図示せず）が蓋体４の底部に形成されている。
【００３０】
前側壁８及び後側壁８が同一構成であるため、前側壁８についてのみ説明する。前側壁８の外側に、内側に凹んだ一対の第１凹部１０，１１を左右方向に間隔を置いて備えている。左側の第１凹部１０は、前側壁８の左右方向中央部に位置し、下方が開放された切欠き部から構成され、前側壁８の上端部から下端まで延びている。具体的には、第１凹部１０は、前側壁８の外面８Ａから内側に離間したフラットな縦面１０Ａと、縦面１０Ａの左右端と外面８Ａとを連結する左右の側面１０Ｂ，１０Ｃと、左右の側面１０Ｂ，１０Ｃの上端同士を連結する上面１０Ｄとから構成されている。尚、後側壁８にも、前側壁８と同様に、内側に凹んだ一対の第２凹部１０，１１を備えている。それら第２凹部１０，１１は、一対の第１凹部１０，１１と同様に、第２持ち上げ用引っ掛かり部及び第２掴み用引っ掛かり部も備えており、それらの構成は、一対の第１凹部１０，１１の構成と全く同一であるため、説明を省略する。
【００３１】
第１凹部１０の上面１０Ｄは、フラット面からなるとともに、前側壁８の上端部に位置しており、指を下方から引っ掛けて容器本体３を持ち上げるための第１持ち上げ用引っ掛かり部を構成している。この上面１０Ｄは、前側壁８の上端から５０ｍｍ下がった位置にある。また、上面１０Ｄの幅Ｌ１は、５本の指のうちの親指を除く４本の指（人差し指、中指、薬指、小指）を引っ掛けることができる左右幅の寸法を有している。具体的には、幅Ｌ１は、９ｃｍに設定されている。また、上面１０Ｄの奥行き方向の深さ、つまり前側壁８の外面８Ａから内側端面（縦面１０Ａ）までの間隔（長さ）Ｄ１は、指の先端を引っ掛けることができる寸法を有しており、具体的には、１２ｍｍの寸法になっているが、１０ｍｍ〜２５ｍｍの範囲の任意の値であればよい。上面１０Ｄの位置は、容器本体３の高さの半分よりも上側の上部であれば、どの位置であってもよい。
【００３２】
第１凹部１０の左右の側面１０Ｂ，１０Ｃは、図３及び図５に示すように、左右方向から指を引っ掛けることができるように構成されている。これら左右の側面１０Ｂ，１０Ｃは、本体用側壁の下端まで延長されるとともに下端側ほど外側に位置する傾斜面になっている。この延長された延長部１０ｂ，１０ｃのうちの一方の延長部１０ｃをもって本体用側壁の下部において左右方向から指を引っ掛けるための後述する一方の第１掴み用引っ掛かり部を兼用構成している。
【００３３】
また、左右の側面１０Ｂ，１０Ｃへの指の引っ掛かりが良くなるように、左右の側面１０Ｂ，１０Ｃが、容器本体３の外側から内側に向うほど外広がり形状になるとともに、左右方向外側に凸となる湾曲面に形成され、より一層指の引っ掛かりが深くできる利点があるが、フラット（平坦）面に構成してもよい。その傾斜角度θ１は、図では、１°〜４５°の任意の角度に設定される。
【００３４】
また、一方（左側）の第１凹部１０に対して左右方向一側（ここでは右側）に、左右方向から指を引っ掛けることができる他方（右側）の第１凹部１１を備えている。この右側の第１凹部１１は、内側に凹んでいるとともに下方が開放された切欠き部から構成されている。具体的には、右側の第１凹部１１は、前側壁８の外面８Ａから内側に離間したフラットな縦面１１Ａと、縦面１１Ａの左右端と外面８Ａとを連結する左右の側面１１Ｂ，１１Ｃと、左右の側面１１Ｂ，１１Ｃの上端同士を連結する上面１１Ｄとから構成されている。
【００３５】
また、左右の側面１１Ｂ，１１Ｃは、左右方向から指を引っ掛けることができるように構成されている。左右の側面１１Ｂ，１１Ｃは、前側壁８の外面８Ａから鉛直方向に延びるストレート面ＳＢ，ＳＣと、ストレート面ＳＢ，ＳＣから容器本体３の内側に向うほど外広がり形状になる傾斜面ＫＢ，ＫＣとからなっている。ストレート面ＳＢ，ＳＣを備えることによって、右側の第１凹部１１の入り口の角が欠け難くできる。また、傾斜面ＫＢ，ＫＣを備えることによって、側面１１Ｂ，１１Ｃへの指の引っ掛かりが良くなる。更にまた、傾斜面ＫＢ，ＫＣは、左右方向外側に凸となる湾曲面に形成されているため、より一層指の引っ掛かりを深くすることができる利点があるが、フラット（平坦）面に構成してもよい。その傾斜角度θ２は、１°〜４５°の任意の角度に設定される。
【００３６】
右側の第１凹部１１の上面１１Ｄは、フラット面からなり、左側の第１凹部１０の上面１０Ｄよりも低い位置に設定されている。上面１１Ｄの上下方向の位置は、本体用側壁の上下高さの半分よりも下方にあり、実際には、本体用側壁の上下高さの約１／４の高さにある。具体的には、本体用側壁の下端から６０ｍｍの高さ位置に上面１１Ｄが位置しており、５本の指のうちの親指を除く４本の指（人差し指、中指、薬指、小指）を上下方向に一列となる状態で入り込ませることができる上下寸法になっている。また、上面１１Ｄの幅Ｌ２は、左側の第１凹部１０の上面１０Ｄの幅Ｌ１よりも狭く構成されている。具体的には、左側の第１凹部１０の上面１０Ｄの幅Ｌ１の１／３の３０ｍｍの寸法になっており、一本の指が入り込める幅寸法になっている。右側の第１凹部１１の左右の側面１１Ｂ，１１Ｃが左右方向から指を引っ掛けることができるように構成されている。そして、前記寸法関係により、５本の指のうちの親指を除く４本の指（人差し指、中指、薬指、小指）を上下方向に一列に並んだ状態で入れ込ませて引っ掛けることができるようになっている。また、側面１１Ｂ，１１Ｃの奥行き方向の深さ、つまり前側壁８の外面から内側端（縦面１１Ａ）までの間隔（長さ）Ｄ２は、指の先端を引っ掛けることができる寸法を有しており、具体的には、１２ｍｍの寸法になっているが、１０ｍｍ〜２５ｍｍの範囲の任意の値であればよい。
【００３７】
前記説明した左側の第１凹部１０（具体的には、一方の延長部１０ｃの側面１１Ｃ）と右側の第１凹部１１（具体的には、一方の側面１１Ｂ）とで、左右方向から指を引っ掛けて第１凹部１０と第１凹部１１の間の本体用側壁を掴むための一対の第１掴み用引っ掛かり部を構成している。左側の第１凹部１０及び右側の第１凹部１１の各々の互いに隣り合う両側面１０Ｃ，１１Ｂの間隔Ｔを、両側面１０Ｃ，１１Ｂに指を引っ掛けて（係止して）両側面１０Ｃ，１１Ｂ間で前側壁８を掴むことができる間隔に設定している。具体的には、間隔Ｔを５５ｍｍに設定しているが、５０ｍｍ〜１００ｍｍの範囲であれば、どの値に設定してもよい。例えば、右手で前側壁８を掴む場合には、親指を左側の第１凹部１０の側面１０Ｃに引っ掛けるとともに４本（２本でも３本でもよい）の指（人差し指、中指、薬指、小指）を右側の第１凹部１１の側面１１Ｂに引っ掛けることになる。また、左手で前側壁８を掴む場合には、親指を右側の第１凹部１１の側面１１Ｂに引っ掛けるとともに４本（２本でも３本でもよい）の指（人差し指、中指、薬指、小指）を左側の第１凹部１０の側面１０Ｃに引っ掛けることになる。
【００３８】
また、前側壁８の上端の左右両端部２箇所に、蓋体４を容易に外せるように指を入れることができる蓋体用凹部１２が形成されている。
【００３９】
前記構成の保冷容器２は、図１に示すように、コンテナ１内に上下に複数個積み重ねた状態で輸送（例えば、海上輸送、空輸、陸送）される。ここで、複数個の保冷容器２を積み重ねた状態とするためには、保冷容器２を持ち上げてコンテナ１内に積み上げる積み上げ作業が必要となる。保冷容器２を持ち上げる場合には、保冷容器２の前後の第１凹部１０，１０の上面１０Ｄ，１０Ｄに親指以外の４本の指（人差し指、中指、薬指、小指）を引っ掛けて、保冷容器２の前後の上端を掴むことができる。その掴んだ状態で保冷容器２を持ち上げる。前述のように上面１０Ｄ，１０Ｄが本体用側壁の上部に位置しているため、腰を大きく屈めなくても指を上面１０Ｄ，１０Ｄに容易に引っ掛けることができる。目的地へ運搬された後に、コンテナ１内に積み重ねた保冷容器２を下ろす際場合には、片方の手の指を左側の第１凹部１０の側面１０Ｃと右側の第１凹部１１の側面１１Ｂとに引っ掛けることによって、両側面１０Ｃ，１１Ｂ間の前側壁８を片手で掴むことができる。この掴んだ状態で前方に保冷容器２を引き出すことによって、保冷容器２を積み下ろすことができる。このとき、本体用側壁の下端部（下部）で前側壁８を掴むことができるので、特に最上段に位置している保冷容器２を容易に積み下ろすことができる。
【００４０】
図６に示すように、左側の第１凹部１０及び右側の第１凹部１１に対応する本体用側壁の内側に、他の部分よりも内側に突出する突出部１３を備えている。この突出部１３の厚みは、少なくとも左側の第１凹部１０及び右側の第１凹部１１が凹んだ部分の体積以上になるように設定することになる。また、図６では、左側の第１凹部１０及び右側の第１凹部１１よりも大きな面積の突出部１３にして強度をアップすることで突出部１３の厚みを薄くすることができる。これによって、保冷容器２の収容体積の減少を抑制することができるが、同一の面積の突出部であってもよい。このように突出部１３を備えることによって、左側の第１凹部１０及び右側の第１凹部１１が形成されている本体用側壁の保形強度が低下することを抑制することができる。
【００４１】
尚、本発明に係る保冷容器は、実施形態に限定されるものではなく、本発明の要旨を逸脱しない範囲で種々の変更が可能である。
【００４２】
前記実施形態では、平面視において長方形状の保冷容器を示したが、平面視において正方形状の保冷容器であってもよい。
【００４３】
また、前記実施形態では、第１凹部１０の一方の延長部１０ｃをもって本体用側壁の下部において左右方向から指を引っ掛けるための一方の第１掴み用引っ掛かり部を兼用構成したが、図７に示すように、前側壁８の上端部の左右中央に容器本体３を持ち上げるための上面（第１持ち上げ用引っ掛かり部）１０Ｄを有する持ち上げ用凹部１０を設け、前側壁８の下部の一側（図では右側）に左右一対の第１凹部１１，１１を左右方向から指を引っ掛けることができる間隔で設けてもよい。持ち上げ用凹部１０は、前側壁８の外面８Ａから内側に離間したフラットな縦面１０Ａと、縦面１０Ａの左右端と外面８Ａとを連結する左右の側面１０Ｂ，１０Ｃと、左右の側面１０Ｂ，１０Ｃの上端同士を連結する上面（第１持ち上げ用引っ掛かり部）１０Ｄと、左右の側面１０Ｂ，１０Ｃの下端同士を連結する下面１０Ｅとからなる凹部で構成されている。各第１凹部１１は、前記実施形態と同様に、前側壁８の外面８Ａから内側に離間したフラットな縦面１１Ａと、縦面１１Ａの左右端と外面８Ａとを連結する左右の側面１１Ｂ，１１Ｃと、左右の側面１１Ｂ，１１Ｃの上端同士を連結する上面１１Ｄとからなる切欠き部で構成されている。左側の第１凹部１１の右側面１１Ｃと右側の第１凹部１１の左側面１１Ｂとで、左右方向から指を引っ掛けて本体用側壁（前側壁８）を掴むための一対の第１掴み用引っ掛かり部を構成している。図７では、一対の第１凹部１１，１１を右側に寄せて配置したが、左側に寄せて配置する、あるいは中央から左右に等間隔を置いて配置してもよい。
【００４４】
また、前記実施形態では、高さの異なる左右一対の第１凹部１０，１１を備えた場合を示したが、図８に示すように、同一の高さで、かつ、同一の左右幅（同一形状で同一の大きさ）を有する一対の第１凹部１０，１０を本体用側壁（前側壁８）の上部（下部でもよい）に備えてもよい。各第１凹部１０は、前側壁８の外面８Ａから内側に離間したフラットな縦面１０Ａと、縦面１０Ａの左右端と外面８Ａとを連結する左右の側面１０Ｂ，１０Ｃと、左右の側面１０Ｂ，１０Ｃの上端同士を連結する上面（第１持ち上げ用引っ掛かり部）１０Ｄと、左右の側面１０Ｂ，１０Ｃの下端同士を連結する下面１０Ｅとからなる凹部で構成されている。左側の第１凹部１０の右側面１０Ｃと右側の第１凹部１０の左側面１０Ｂとで、左右方向から指を引っ掛けて両側面１０Ｃ，１０Ｂ間の本体用側壁（前側壁８）を掴むための一対の第１掴み用引っ掛かり部を構成している。
【００４５】
また、前記実施形態では、第１凹部１０，１１を２個設けたが、３個以上設けて実施してもよい。
【００４６】
また、前記実施形態では、第１凹部を２つの本体用側壁８，８に設けたが、１つ又は３つあるいは４つ全ての本体用側壁に設けてもよい。
【００４７】
また、前記実施形態では、一対の第１凹部１０，１１の左側の第１凹部１０を右側の第１凹部１１よりも幅広に構成することによって、左側の第１凹部１０の上面１０Ｄを第１持ち上げ用引っ掛かり部として構成したが、第１持ち上げ用引っ掛かり部の無い一対の第１凹部であってもよい。具体的には、幅の狭い２つの第１凹部１１，１１（図３参照）を少なくとも１つの本体用側壁８に備えて実施してもよい。この場合、保冷容器２を持ち上げる場合には、保冷容器２の底を掴んで持ち上げることになる。また、図９に同一形状で同一の大きさを有する幅の狭い４つの第１凹部１１，１１，１１，１１を本体用側壁８に備えている場合（図示していない他の本体用側壁８にも備えてもよい）を示しているが、第１凹部１１の個数は、３つあるいは５つ以上の任意の数であってもよい。尚、第１凹部１１を３つ以上備える場合には、隣り合う第１凹部間の間隔は、左右方向で指を引っ掛けることができる範囲であれば、どのような間隔（距離）に設定してもよい。
【００４８】
また、前記実施形態では、上下高さと左右幅とが異なる一対の第１凹部１０，１１を備えた場合を示したが、図１０に示すように、左右幅方向中央に位置する第１凹部１０と、これの第１凹部１０の両側のそれぞれに、第１凹部１０の上下高さよりも低く、かつ、第１凹部１０の左右幅よりも狭い左右幅を有する第１凹部１１を備えていてもよい。尚、図１０では、第１凹部１０から左側に備えた第１凹部１１までの左右幅方向おける第１距離と第１凹部１０から右側に備えた第１凹部１１までの左右幅方向における第２距離とを同一にしているが、第１凹部１０と左側に備えた第１凹部１１との間又は第１凹部１０と右側に備えた第１凹部１１との間に左右方向で指を引っ掛けて本体用側壁８を掴むことができる距離であれば、第１距離と第２距離とを異なる距離に設定してもよい。
【符号の説明】
【００４９】
１…コンテナ、１Ａ…天井壁、１Ｂ，１Ｃ…左右壁、２…保冷容器、３…容器本体、３Ａ…上面開口部、４…蓋体、５…底壁、５Ａ…載置面、７…左右側壁（本体用側壁）、８…前後側壁（本体用側壁）、８Ａ…外面、９…嵌合用凸条、１０…第１凹部、１０Ａ…縦面、１０Ｂ，１０Ｃ…側面、１０Ｄ…上面（第１持ち上げ用引っ掛かり部）、１０Ｅ…下面、１０ｂ，１０ｃ…延長部、１０ｃ，１１Ｂ…第１掴み用引っ掛かり部、１１…第１凹部、１１Ａ…縦面、１１Ｂ，１１Ｃ…側面、１１Ｄ…上面（第１持ち上げ用引っ掛かり部）、１２…蓋体用凹部、１３…突出部、ＫＢ，ＫＣ…傾斜面、Ｌ１，Ｌ２…幅、ＳＢ，ＳＣ…ストレート面、Ｔ…間隔、θ１，θ２…傾斜角度
【図１】
2015151182.tif 000003
【図２】
2015151182.tif 000004
【図３】
2015151182.tif 000005
【図４】
2015151182.tif 000006
【図５】
2015151182.tif 000007
【図６】
2015151182.tif 000008
【図７】
2015151182.tif 000009
【図８】
2015151182.tif 000010
【図９】
2015151182.tif 000011
【図１０】
2015151182.tif 000012